【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
特定の目視条件の下で回折像を再現する回折構造を含む領域（１２）を少なくとも１つ有するセキュリティ素子であって、前記領域（１２）が、前記回折像の前記再現に関与せず、視認可能な情報を表す副領域（１４）を有するセキュリティ素子において、前記副領域（１４）によって表される前記情報が実質的に前記回折像の前記特定の目視条件の下でのみ視認可能であることを特徴とするセキュリティ素子。
【請求項２】
前記領域（１２）が、前記回折像の前記再現を支援する、第１の反射層（２６）を有することを特徴とする請求項１に記載のセキュリティ素子。
【請求項３】
前記副領域（１４）が回折構造をもたず、前記第１の反射層（２６）が前記回折構造の領域及び前記副領域（１４）の領域のいずれにも配されることを特徴とする請求項１または２に記載のセキュリティ素子。
【請求項４】
前記領域（１２）が、前記回折構造がレリーフ構造の形態で存在する、透明プラスチック層（２４）を有し、前記第１の反射層（２６）が、前記回折構造が設けられた、前記プラスチック層（２４）の表面上に配され、前記プラスチック層の背面が第２の反射層（２２）を有し、前記副領域（１４）が前記第１の反射層（２６）における間隙によって形成されることを特徴とする請求項１または２に記載のセキュリティ素子。
【請求項５】
前記第１及び第２の反射層（２６，２２）が実質的に同じ反射特性を有する材料でつくられることを特徴とする請求項４に記載のセキュリティ素子。
【請求項６】
前記副領域（１４）が前記第１の反射層（２６）のオーバープリント領域を形成し、前記第１の反射層及び前記オーバープリント領域が実質的に同じ反射特性を有することを特徴とする請求項１から５のいずれか１項に記載のセキュリティ素子。
【請求項７】
前記オーバープリント領域に金属性印刷インクが用いられることを特徴とする請求項６に記載のセキュリティ素子。
【請求項８】
前記第１及び／または第２の反射層（２６，２２）が、金属層でつくられることを特徴とする請求項１から７のいずれか１項に記載のセキュリティ素子。
【請求項９】
特定の目視条件の下で回折像を再現する回折構造を含む領域（１２）を少なくとも１つ有するセキュリティ素子であって、前記領域（１２）が、前記回折像の前記再現に関与せず、視認可能な情報を表す副領域（１４）を有するセキュリティ素子において、前記副領域（１４）によって表される前記情報が前記回折像の前記特定の目視条件とは異なる目視条件の下で視認可能であることを特徴とするセキュリティ素子。
【請求項１０】
前記領域（１２）が、前記回折構造がレリーフ構造の形態で存在する、透明プラスチック層（２４）を有し、前記回折構造が設けられた前記プラスチック層（２４）の表面上に第１の反射層（２６）が配され、前記副領域（１４）が前記第１の反射層（２６）における間隙によって形成されることを特徴とする請求項９に記載のセキュリティ素子。
【請求項１１】
前記プラスチック層の背面が第２の反射層（２２）を有し、前記第１及び第２の反射層が色の異なる材料でつくられることを特徴とする請求項１０に記載のセキュリティ素子。
【請求項１２】
前記領域（１２）が、前記副領域（１４）によって表される前記情報が透過光で視認可能であるように、透明キャリア上に配されることを特徴とする請求項９または１０に記載のセキュリティ素子。
【請求項１３】
前記セキュリティ素子が、特定の目視条件の下で回折像を再現する回折構造をそれぞれが有する、互いに直に接する少なくとも２つの領域（３２Ａ，３２Ｂ；４２Ａ〜４２Ｄ；５２-０〜５２-１１；６２-０〜６２-９）を有し、前記領域（３２Ａ，３２Ｂ；４２Ａ〜４２Ｄ；５２-０〜５２-１１；６２-０〜６２-９）の前記特定の目視条件が互いに異なり、前記領域（３２Ａ，３２Ｂ；４２Ａ〜４２Ｄ；５２-０〜５２-１１；６２-０〜６２-９）が、前記回折像の前記再現に関与しない副領域（３４Ａ，３４Ｂ）を有することを特徴とする請求項１から１２のいずれか１項に記載のセキュリティ素子。
【請求項１４】
前記領域（３２Ａ，３２Ｂ；４２Ａ〜４２Ｄ；５２-０〜５２-１１；６２-０〜６２-９）が矩形、ストリップ、扇形または円環の形状を有することを特徴とする請求項１３に記載のセキュリティ素子。
【請求項１５】
前記領域の内の少なくとも１つが複数の部分領域（７２-１〜７２-ｍ；７４-１〜７４-ｍ；９６）からなることを特徴とする請求項１から１４のいずれか１項に記載のセキュリティ素子。
【請求項１６】
前記部分領域（９６）が均一な画素からなることを特徴とする請求項１５に記載のセキュリティ素子。
【請求項１７】
前記セキュリティ素子が、異なる特定の目視条件の下で回折像を再現し、それぞれが複数の部分領域（７２-１〜７２-ｍ；７４-１〜７４-ｍ）からなる、少なくとも２つの領域（７２，７４）を有し、前記異なる回折像の前記部分領域（７２-１〜７２-ｍ；７４-１〜７４-ｍ）が互いにインターレースされることを特徴とする請求項１５に記載のセキュリティ素子。
【請求項１８】
前記セキュリティ素子が、少なくとも前記セキュリティ素子を垂直方向から見たときに視認可能であり、部分像領域（８８ｉ）からなる、像領域（８８）を有し、前記部分像領域（８８ｉ）及び前記回折像の前記部分領域（８２ｉ，８４ｉ）が互いにインターレースされることを特徴とする請求項１７に記載のセキュリティ素子。
【請求項１９】
前記部分領域（７２-１〜７２-ｍ；７４-１〜７４-ｍ；８２ｉ，８４ｉ）及び／または部分像領域（８８ｉ）がストリップ形状を有し、前記異なる回折像の前記部分領域（７２-１〜７２-ｍ；７４-１〜７４-ｍ；８２ｉ，８４ｉ）及び／または前記部分像領域（８８ｉ）が交互に配されることを特徴とする請求項１７または１８に記載のセキュリティ素子。
【請求項２０】
前記ストリップ形状部分領域（７２-１〜７２-ｍ；７４-１〜７４-ｍ；８２ｉ，８４ｉ）及び／または前記部分像領域（８８ｉ）が約１μｍから約２００μｍの幅を有することを特徴とする請求項１７から１９のいずれか１項に記載のセキュリティ素子。
【請求項２１】
前記副領域（７６）によって表される前記情報が、前記副領域によって表される前記情報が前記再現される回折像の前記異なる目視条件の下で視認可能であるように、異なる回折像を再現する前記部分領域（７２-１〜７２-ｍ；７４-１〜７４-ｍ）の幅の合計に少なくとも等しい線幅を有することを特徴とする請求項１５から２０のいずれか１項に記載のセキュリティ素子。
【請求項２２】
前記情報の前記線幅が少なくとも８０μｍであることを特徴とする請求項２１に記載のセキュリティ素子。
【請求項２３】
前記個々の領域（３２Ａ，３２Ｂ；４２Ａ〜４２Ｄ；５２-０〜５２-１１；６２-０〜６２-９；７２，７４）の前記副領域によって表される前記情報片が互いに異なることを特徴とする請求項１５から２２のいずれか１項に記載のセキュリティ素子。
【請求項２４】
前記個々の領域（３２Ａ，３２Ｂ；４２Ａ〜４２Ｄ；５２-０〜５２-１１；６２-０〜６２-９；７２，７４）の前記副領域によって表される前記情報片が、全体情報を表すことを特徴とする請求項１５から２３のいずれか１項に記載のセキュリティ素子。
【請求項２５】
前記個々の領域（３２Ａ，３２Ｂ；４２Ａ〜４２Ｄ；５２-０〜５２-１１；６２-０〜６２-９；７２，７４）の前記副領域によって表される前記情報片が同一であることを特徴とする請求項１５から２２のいずれか１項に記載のセキュリティ素子。
【請求項２６】
前記個々の領域（４２Ａ〜４２Ｄ；５２-０〜５２-１１；６２-０〜６２-９）の前記副領域によって表される前記情報片が前記セキュリティ素子を回転させると及び／または傾けると次々に視認可能であるように、前記個々の領域（４２Ａ〜４２Ｄ；５２-０〜５２-１１；６２-０〜６２-９）の前記目視条件が相互に調節されることを特徴とする請求項１から２５のいずれか１項に記載のセキュリティ素子。
【請求項２７】
前記１つまたは複数の領域（１２；３２Ａ，３２Ｂ；４２Ａ〜４２Ｄ；５２-０〜５２-１１；６２-０〜６２-９；７２，７４）が、前記特定の目視条件とは異なる目視条件の下でも回折像を再現する、回折像によって囲まれることを特徴とする請求項１から２６のいずれか１項に記載のセキュリティ素子。
【請求項２８】
前記領域（１２；３２Ａ，３２Ｂ；４２Ａ〜４２Ｄ；５２-０〜５２-１１；６２-０〜６２-９；７２，７４）の内の少なくとも１つが、プロファイルが非対称の回折構造を有することを特徴とする請求項１から２７のいずれか１項に記載のセキュリティ素子。
【請求項２９】
前記領域（１２；３２Ａ，３２Ｂ；４２Ａ〜４２Ｄ；５２-０〜５２-１１；６２-０〜６２-９；７２，７４）の内の少なくとも１つが、レインボウホログラム、立体ホログラムまたは回折格子構造を有することを特徴とする請求項１から２８のいずれか１項に記載のセキュリティ素子。
【請求項３０】
前記領域（１２；３２Ａ，３２Ｂ；４２Ａ〜４２Ｄ；５２-０〜５２-１１；６２-０〜６２-９；７２，７４）の内の少なくとも１つが型押構造として形成されることを特徴とする請求項１から２９のいずれか１項に記載のセキュリティ素子。
【請求項３１】
前記セキュリティ素子がストライプ形に形成されることを特徴とする請求項１から３０のいずれか１項に記載のセキュリティ素子。
【請求項３２】
前記セキュリティ素子が、セキュリティスレッド、ラベルまたは転写素子であることを特徴とする請求項１から３１のいずれか１項に記載のセキュリティ素子。
【請求項３３】
前記セキュリティ素子が型押シリンダの型押面を形成することを特徴とする請求項１から３１のいずれか１項に記載のセキュリティ素子。
【請求項３４】
請求項１から３３のいずれか１項に記載のセキュリティ素子を有することを特徴とするデータキャリア。
【請求項３５】
連続ホイルにおいて、請求項１から３３のいずれか１項に記載のセキュリティ素子を有することを特徴とする連続ホイル。
【請求項３６】
型押シリンダであって、前記型押シリンダの前記型押面が請求項１から３３のいずれか１項に記載のセキュリティ素子を有することを特徴とする型押シリンダ。
【請求項３７】
請求項１から３３のいずれか１項に記載のセキュリティ素子を製品保護の目的のために使用することを特徴とするセキュリティ素子の使用方法。
【請求項３８】
請求項３５に記載の連続ホイルをラベル材としてまたはセキュリティスレッド材としてまたは転写ホイルとして使用することを特徴とする連続ホイルの使用方法。
【請求項３９】
セキュリティ素子を作成する方法において、
ａ） 特定の目視条件の下で回折像を再現する回折構造を含む領域を少なくとも１つ作成する工程、及び
ｂ） 前記回折像の前記再現に関与せず、視認可能な情報を表す、副領域を作成する工程、
を有してなり、
前記副領域を、前記副領域によって表される前記情報が概ね前記回折像の前記特定の目視条件の下でのみ視認可能であるように、前記回折構造を含む前記領域に組み込むことを特徴とする方法。
【請求項４０】
工程ａ）において、前記回折構造をレリーフ構造の形態で透明プラスチック層に型押しし、前記レリーフ構造に第１の反射層を設けることを特徴とする請求項３９に記載の方法。
【請求項４１】
工程ｂ）において、前記副領域を前記第１の反射層の除去及び／または前記回折構造の破壊によってつくることを特徴とする請求項３９または４０に記載の方法。
【請求項４２】
前記除去または破壊を、レーザを用いて行うことを特徴とする請求項４１に記載の方法。
【請求項４３】
前記プラスチック層の前記レリーフ構造に対して背面となる側に第２の反射層を設けることを特徴とする請求項３９から４２のいずれか１項に記載の方法。
【請求項４４】
前記第１及び／または第２の反射層を蒸着法によってつくることを特徴とする請求項３９から４３のいずれか１項に記載の方法。
【請求項４５】
前記第１及び第２の反射層に対して同じ材料を用いることを特徴とする請求項３９から４４のいずれか１項に記載の方法。
【請求項４６】
工程ｂ）において、前記副領域を前記第１の反射層に消効性印刷インクでオーバープリントすることによってつくることを特徴とする請求項３９または４０に記載の方法。
【請求項４７】
前記第１の反射層とほとんど同じ反射特性を有する印刷インクを用いることを特徴とする請求項４６に記載の方法。
【請求項４８】
セキュリティ素子を作成する方法において、
ａ） 特定の目視条件の下で回折像を再現する回折構造を含む領域を少なくとも１つ作成する工程、及び
ｂ） 前記回折像の前記再現に関与せず、視認可能な情報を表す、副領域を作成する工程、
を有してなり、
前記副領域を、前記副領域によって表される前記情報が前記回折像の前記特定の目視条件とは異なる目視条件の下で視認可能であるように、前記回折構造を含む前記領域に組み込むことを特徴とする方法。
【請求項４９】
工程ａ）において、前記回折構造をレリーフ構造の形態で透明プラスチック層に型押しし、前記レリーフ構造に第１の反射層を設けることを特徴とする請求項４８に記載の方法。
【請求項５０】
工程ｂ）において、前記副領域を前記第１の反射層の除去によってつくることを特徴とする請求項４８または４９に記載の方法。
【請求項５１】
前記除去をレーザによって行うことを特徴とする請求項５０に記載の方法。
【請求項５２】
前記プラスチック層の前記レリーフ構造に対して背面となる側に第２の反射層を設けることを特徴とする請求項４８から５１のいずれか１項に記載の方法。
【請求項５３】
前記第１及び／または第２の反射層を蒸着法によってつくることを特徴とする請求項４８から５２のいずれか１項に記載の方法。
【請求項５４】
前記第１及び第２の反射層に対して異なる金属を用いることを特徴とする請求項４８から５３のいずれか１項に記載の方法。
【請求項５５】
工程ａ）において、異なる目視条件の下で回折像を再現し、それぞれが複数の部分領域からなる、回折構造を含む領域を少なくとも２つつくり、前記異なる回折像の前記部分領域が互いにインターレースされることを特徴とする請求項３９から５４のいずれか１項に記載の方法。
【請求項５６】
前記領域が交互に配されたストリップ形部分領域からなり、前記副領域を、前記副領域によって表される前記情報が前記再現される回折像の前記異なる目視条件の下で視認可能であるように、異なる回折像を再現する、前記部分領域の幅の合計に少なくとも等しい線幅をもってつくることを特徴とする請求項５５に記載の方法。
【請求項５７】
貴重書類を作成する方法において、
ａ） 前記貴重書類上に、異なる目視条件の下で回折像を再現し、それぞれが複数の部分領域からなる、回折構造を含む領域を少なくとも２つ有するセキュリティ素子であって、前記異なる回折像の前記部分領域が互いにインターレースされて配される、セキュリティ素子を作成する工程、及び
ｂ） 前記部分領域に、どの回折像が前記部分領域に割り当てられることになるかにかかわらず、情報を表す副領域であって、前記副領域の線幅が、前記副領域によって表される前記情報が前記再現される回折像の前記異なる目視条件の下で視認可能であるように、異なる回折像を再現する前記部分領域の個々の幅の合計に少なくとも等しい、副領域を作成する工程、
を有してなることを特徴とする方法。